(57)【要約】【課題】  構造が簡単であり、分解の容易な記録装置及び電子機器収納装置を提供する。【解決手段】  記録機構部が載置されたベースフレーム２４と、このベースフレーム２４に係止されて前記記録機構部を覆う外装ケース１とを備えた記録装置において、前記ベースフレーム２４の記録機構部載置面２４ｔの後縁部に当該載置面２４ｔよりも上方に折り曲げられて延出する係止片２４ｊを形成し、この係止片２４ｊの係止面２４ｃに当接する当接体１ｊを前記外装ケース１の後壁内面に設けると共に、前記ベースフレーム２４の記録機構部載置面２４ｔに上方から当接する支持体１ｔを前記当接体１ｊと前後に距離を持って前記外装ケース１の側壁内面に設け、前記当接体１ｊと前記支持体１ｔとによって前記外装ケース１及び前記ベースフレーム２４の相対位置を上下方向に決めて、前記ベースフレーム２４の前縁部と前記外装ケース１の前部とを固定具で固定した。【選択図】      図９
2007022034.tif 000002
【特許請求の範囲】
【請求項１】
記録機構部が載置されたベースフレームと、このベースフレームに係止されて前記記録機構部を覆う外装ケースとを備えた記録装置において、
前記ベースフレームの記録機構部載置面の後縁部に当該載置面よりも上方に折り曲げられて延出する係止片を形成し、この係止片の下面に当接する当接体を前記外装ケースの後壁内面に設けると共に、前記ベースフレームの記録機構部載置面に上方から当接する支持体を前記当接体と前後に距離を持って前記外装ケースの側壁内面に設け、前記当接体と前記支持体とによって前記外装ケース及び前記ベースフレームの相対位置を上下方向に決めて、前記ベースフレームの前縁部と前記外装ケースの前部とを固定具で固定したことを特徴とする記録装置。
【請求項２】
前記当接体に、前記外装ケース及び前記ベースフレームの相対位置を横方向に決める機構を備えたことを特徴とする請求項１記載の記録装置。
【請求項３】
前記相対位置を横方向に決める機構が、前記当接体に形成された突起部と、前記ベースフレーム後端に形成され、前記突起部と係合する凹部とで構成されていることを特徴とする請求項２に記載の記録装置。
【請求項４】
前記突起部は、この突起部と係合する前記凹部との係合時のガイド面を備えたことを特徴とする請求項３に記載の記録装置。
【請求項５】
前記当接体の前記外装ケースの後壁内面からの突出寸法が小さく、前記当接体の横幅が前記外装ケースの横幅の少なくとも１／３以上の寸法に設定されていることを特徴とする請求項１乃至４のいずれかに記載の記録装置。
【請求項６】
前記支持体が、前記外装ケースの高さ一杯に延在していることを特徴とする請求項１乃至５のいずれかに記載の記録装置。
【請求項７】
電子機器が載置されたベースフレームと、このベースフレームに係止されて前記電子機器を覆う外装ケースとを備えた電子機器収納装置において、
前記ベースフレームの電子機器載置面の後縁部に当該載置面よりも上方に折り曲げられて延出する係止片を形成し、この係止片の下面に当接する当接体を前記外装ケースの後壁内面に設けると共に、前記ベースフレームの電子機器載置面に上方から当接する支持体を前記当接体と前後に距離を持って前記外装ケースの側壁内面に設け、前記当接体と前記支持体とによって前記外装ケース及び前記ベースフレームの相対位置を上下方向に決めて、前記ベースフレームの前縁部と前記外装ケースの前部とを固定具で固定したことを特徴とする電子機器収納装置。
【発明の詳細な説明】
【技術分野】
【０００１】
本発明は、記録機構部或いは電子機器が外装ケースで覆われた記録装置及び電子機器収納装置に関する。
【背景技術】
【０００２】
一般に、紙送りモータ、印字ヘッド等の記録機構部を外装ケースで覆う記録装置等の電子機器収納用装置が知られている。
この種のものでは、例えば、樹脂製の外装ケースの一部に、スナップフィットが形成され、このスナップフィットで金属性の記録機構部に、外装ケースが固定される記録装置が知られている（例えば、特許文献１参照）。
【特許文献１】特開２００１−１２１３５８号公報
【発明の開示】
【発明が解決しようとする課題】
【０００３】
しかしながら、上述した構成では、樹脂製であるスナップフィットがたわむことにより、外装ケースを記録機構部に固定するため、スナップフィットの強度に課題があり、しかも分解が困難であるという問題があった。
本発明は、上述した事情に鑑みてなされたものであり、構造が簡単であり、分解の容易な記録装置及び電子機器収納装置を提供することを目的とする。
【課題を解決するための手段】
【０００４】
本発明は、記録機構部が載置されたベースフレームと、このベースフレームに係止されて前記記録機構部を覆う外装ケースとを備えた記録装置において、前記ベースフレームの記録機構部載置面の後縁部に当該載置面よりも上方に折り曲げられて延出する係止片を形成し、この係止片の下面に当接する当接体を前記外装ケースの後壁内面に設けると共に、前記ベースフレームの記録機構部載置面に上方から当接する支持体を前記当接体と前後に距離を持って前記外装ケースの側壁内面に設け、前記当接体と前記支持体とによって前記外装ケース及び前記ベースフレームの相対位置を上下方向に決めて、前記ベースフレームの前縁部と前記外装ケースの前部とを固定具で固定したことを特徴とする。
【０００５】
この構成では、当接体と支持体とによって外装ケース及びベースフレームの相対位置を上下方向に決めて、ベースフレームの前縁部と外装ケースの前部とを固定具で固定するため、外装ケースとベースフレームを簡単に固定することができ、分解の際にも外装ケースを破損等させることがない。さらに、ベースフレームに形成された係止片は、上方に折り曲げられて延出するため、係止片や当接体を、ベースフレームの下方側に突出することがないことから、ベースフレームの下側を収納スペース等にする場合において、収納スペースに突出するものがなく、収納物の挿脱性を向上させることができる。
【０００６】
この場合において、前記当接体に、前記外装ケース及び前記ベースフレームの相対位置を横方向に決める機構を備えてもよい。本構成では、当接体に係止片を当接するだけで、外装ケース及びベースフレームの相対位置を横方向に決めることができる。
【０００７】
前記相対位置を横方向に決める機構が、前記当接体に形成された突起部と、前記ベースフレーム後端に形成され、前記突起部と係合する凹部とで構成されていてもよい。本構成では、外装ケース及びベースフレームの相対位置を横方向に決める機構を、外装ケース及びベースフレームの一部を用いることにより行うことができる。
【０００８】
前記突起部は、この突起部と係合する前記凹部との係合時のガイド面を備えてもよい。本構成では、突起部と凹部との係合を容易にすることができる。
【０００９】
前記当接体の前記外装ケースの後壁内面からの突出寸法が小さく、前記当接体の横幅が前記外装ケースの横幅の少なくとも１／３以上の寸法に設定されていてもよい。本構成では、当接体の突出寸法が小さく、また、その横幅寸法は大きいため、当接体の固定端に加わる単位幅当たりの外力を抑えることができる。
【００１０】
前記支持体が、前記外装ケースの高さ一杯に延在していてもよい。本構成では、支持体の強度を向上させることができる。
【００１１】
また、本発明は、電子機器が載置されたベースフレームと、このベースフレームに係止されて前記電子機器を覆う外装ケースとを備えた電子機器収納装置において、前記ベースフレームの電子機器載置面の後縁部に当該載置面よりも上方に折り曲げられて延出する係止片を形成し、この係止片の下面に当接する当接体を前記外装ケースの後壁内面に設けると共に、前記ベースフレームの電子機器載置面に上方から当接する支持体を前記当接体と前後に距離を持って前記外装ケースの側壁内面に設け、前記当接体と前記支持体とによって前記外装ケース及び前記ベースフレームの相対位置を上下方向に決めて、前記ベースフレームの前縁部と前記外装ケースの前部とを固定具で固定したことを特徴とする。
【００１２】
この構成では、電子機器収納装置において、当接体と係止片とにより、外装ケース及びベースフレームの相対位置を上下方向に決めており、簡単な構成で外装ケースとベースフレームとを固定することが可能である。また、外装ケースのたわみを利用しないため、外装ケースをベースフレームから取り外す際にも、外装ケースを破損し難い。さらに、ベースフレームに形成された係止片は、上方に折り曲げられて延出するため、係止片や当接体が、ケーブル収納スペースに突出することがない。
【発明の効果】
【００１３】
本発明では、当接体と支持体とによって外装ケース及びベースフレームの相対位置を上下方向に決めて、ベースフレームの前縁部と外装ケースの前部とを固定具で固定するため、外装ケースとベースフレームを簡単に固定することができ、分解の際にも外装ケースを破損等させることがない。
【発明を実施するための最良の形態】
【００１４】
以下、図面を参照して本発明の実施の形態について説明する。
図１は、本発明を適用した一実施形態に係るサーマルプリンタ１００の外観斜視図である。サーマルプリンタ１００は、ライン状に複数の発熱抵抗体が配置されたサーマルヘッド８（図３）により、主にロール状のサーマル紙（感熱紙）である記録媒体（以下、ロール紙とする。）の記録面に対して、文字を含む画像を記録するものである。
【００１５】
サーマルプリンタ１００は、図１に示すように、メインケース（外装ケース）１を中心とした略箱形の外装を有する。メインケース１は、サーマルプリンタ１００の前面、背面、左右面、上面を兼ね、メインケース１の上面前部には、カッタカバー３が配置され、自動でロール紙を切断するオートカッタユニット９（図２）の設定等を行う際に開かれる。
カッタカバー３の前面は中央が凹んでいると共に、この凹みの下部は開口し、メインケース１の前面に設けられたコントロールパネル６が位置する。このコントロールパネル６には、ロール紙を送り出す紙送りボタン６ａ、サーマルプリンタ１００の動作状態を報知するインジケータ６ｂ等を備える。また、メインケース１の前部の隅には、サーマルプリンタ１００の電源をＯＮ／ＯＦＦする電源スイッチ５が配置されている。
【００１６】
メインケース１の上面後部には、ロール紙カバー２が配置され、ロール紙を装填する際等に開かれる。メインケース１の上面後部と、ロール紙カバー２の前部とで、ロール紙が排出される排紙口１６を形成している。この排紙口１６のメインケース１側にはマニュアルカッタ４が設けられており、排紙口１６から排出されたロール紙を、マニュアルカッタ４に押し付けることにより、手切りすることができる。
【００１７】
図２は、記録機構部２０の斜視図である。
サーマルプリンタ１００は、メインケース１に記録機構部２０を内蔵する。この記録機構部２０は、本体フレーム２０ｆとしての左サイドフレーム２１、右サイドフレーム２２、及びベースフレーム２４で支持されている。このベースフレーム２４は、略水平の上板の前辺及び左右辺が下方に略直角に折り曲げられ、前側板２４ｄ、左側板２４ｅ、右側板２４ｆが形成される。前側板２４ｄの隅部には電源スイッチ５が配置され、左側板２４ｅ及び右側板２４ｆにはサーマルプリンタ１００を床面上に支持する脚部２８がそれぞれ２つずつ配置されている。
【００１８】
図３は、本体フレーム２０ｆの背面斜視図である。
ベースフレーム２４の上部には、左サイドフレーム２１及び右サイドフレーム２２が、記録機構部２０の両端部において互いに対向するように配置されている。この左サイドフレーム２１と右サイドフレーム２２との間には、図２に示すように、フロントフレーム２３が掛け渡されている。
【００１９】
左サイドフレーム２１及び右サイドフレーム２２の前部には、図３に示すように、フロント基板カバー１２及びリア基板カバー１３がベースフレーム２４に対して略垂直に配置されている。そして、その上部にはオートカッタユニット９が配置されている。
左サイドフレーム２１及び右サイドフレーム２２の後部には、図２に示すように、ロール紙を収容するロール紙ホルダ２６が配置されている。さらに、左サイドフレーム２１及び右サイドフレーム２２の後方上端には、ヒンジ２７により、ロール紙カバーフレーム２５が支持されている。ロール紙カバーフレーム２５に固定されたロール紙カバー２（図１）は、ヒンジ２７を支点に後方に開く。
【００２０】
つぎに、上述した記録機構部２０について説明する。図４は、サーマルプリンタ１００の断面図である。
ロール紙ホルダ２６とフロントフレーム２３との間には、左サイドフレーム２１から右サイドフレーム２２に亘って、ヘッドフレーム８０が配置されている。このヘッドフレーム８０には、サーマルヘッド８が配置され、このサーマルヘッド８の上方には、オートカッタユニット９が配置されている。オートカッタユニット９は可動刃９ａを内蔵しており、オートカッタユニット９の後方には固定刃９ｂが、可動刃９ａと対向するように配置されている。
【００２１】
オートカッタユニット９の底板は、可動刃９ａと固定刃９ｂとの間で、その端部が上方に曲げられ、ガイド９ｃを形成している。
このガイド９ｃが形成されていることにより、ロール紙は排紙口１６に向かって滑らかに可動刃９ａと固定刃９ｂとの間を通過することができる。オートカッタユニット９の上方には排紙口１６が設けられており、この排紙口１６の前部にはマニュアルカッタ４が設けられている。
【００２２】
また、サーマルヘッド８の後方には、プラテン７が対向して配置されている。このプラテン７は、ロール紙の搬送機構も兼ねている。
プラテン７及び固定刃９ｂは、ロール紙カバーフレーム２５の前部に支持されている。ロール紙カバー２を開くときには、プラテン７と固定刃９ｂとは、ロール紙カバーフレーム２５と共に後方に開く。即ち、ロール紙カバー２を開くときには、サーマルヘッド８及び可動刃９ａと、プラテン７及び固定刃９ｂとの間隔が遠ざかる。
プラテン７の後方の、左サイドフレーム２１と右サイドフレーム２２との間には、ロール紙を収納するロール紙ホルダ２６が配置されている。ロール紙ホルダ２６にはロール紙の残量を検出するニアエンド検出器１７が配置されており、検出結果に基づいてインジケータ６ｂにより、ロール紙の残量を報知する。
【００２３】
排紙口１６の下方であって、オートカッタユニット９の下方には、制御基板用のシールドのために必須に配置されるフロント基板カバー１２及びリア基板カバー１３が配置され、このフロント基板カバー１２とリア基板カバー１３との間には、メイン基板（第１の基板）１０が、リア基板カバー１３に縦置きに配置されている。
メイン基板１０は、サーマルプリンタ１００全体を制御する制御基板である。メイン基板１０の上部には、フラットケーブルコネクタ１０ｆが設けられており、このフラットケーブルコネクタ１０ｆには、フラットケーブル１５が差し込まれている。メイン基板１０は、フラットケーブルコネクタ１０ｆからフラットケーブル１５を介してサーマルヘッド８に接続されている。
【００２４】
フロント基板カバー１２、リア基板カバー１３、及び、メイン基板１０は、ベースフレーム２４に設けられたベースフレーム開口部２４ａを貫通しており、底板２９近傍まで延びている。リア基板カバー１３には、ベースフレーム２４よりも下方にリア基板カバー開口部１３ａが設けられており、このリア基板カバー開口部１３ａを通ってインタフェース基板（第２の基板）１１が、基板コネクタ１０ｉを介して、メイン基板１０に略垂直に差し込まれている。インタフェース基板１１の後端には、サーマルプリンタ１００をコンピュータやキャッシュドロア等の各種機器に接続するためのインタフェースコネクタ１１ｉを備えている。
インタフェース基板１１の下方をカバーする底板２９は、後端が略直角に上方に折り曲げられており、底板開口部２９ａが設けられている。インタフェース基板１１は、底板開口部２９ａまで延びており、サーマルプリンタ１００に接続される各種機器は、底板開口部２９ａを介して、インタフェース基板１１に接続される。
【００２５】
ロール紙をサーマルプリンタ１００にセットする際には、まず、ロール紙カバー２を開く。次に、ロール紙の端部を排紙口１６から少し引き出しつつ、ロール紙をロール紙カバーフレーム２５に配置する。そして、ロール紙カバー２を閉じると、ロール紙が、プラテン７とサーマルヘッド８との間、及び可動刃９ａと固定刃９ｂの間に挟みこまれ、ロール紙のセットが完了する。
サーマルヘッド８が、ロール紙に文字や画像を記録すると、プラテン７によりロール紙が搬送される。ロール紙の、文字や画像が記録された部分が、排紙口１６から外部に紙出されたところで、この部分は、オートカッタユニット９により切り離される。
【００２６】
図５は、本体フレーム２０ｆの前面斜視図である。
本体フレーム２０ｆの前縁部には、ピン孔２４ｐ、２４ｑが設けられ、ピン孔２４ｐ、２４ｑには、メインケース１（図４）の前縁部に設けられた位置決めピン（図示せず）が差し込まれて位置決めされる。ここで、ピン孔２４ｑは、位置決めピンの幅方向の寸法誤差を許容するために、幅方向に楕円状の孔となっている。二つのピン孔２４ｐ、２４ｑの外側には、それぞれねじ孔２４ｒが設けられ、このねじ孔２４ｒを、ベースフレーム２４の裏側から貫通するねじ（固定具）により、メインケース１の前縁部と、ベースフレーム２４とが固定されている。
【００２７】
ベースフレーム２４の後縁部の略中央部分には、ベースフレーム上面２４ｔよりも上方に、クランク状に折り曲げられて延出する係止片２４ｊが形成されている。そして、この係止片２４ｊ以外の後縁部には、当該係止片２４ｊの両側の切込１８を挟んで、略垂直に折り曲げられた、後端壁２４ｈおよび後端壁端部２４ｎが形成されている。係止片２４ｊは、略中央部に凹部２４ｇを持って２つに分割され、分割された係止片２４ｊの各々の両端には、突起係止部２４ｋおよび係止片端部２４ｍが形成されている。
【００２８】
図６は、ベースフレーム２４にメインケース１を固定した状態の斜視図、図７は、当接体１ｊの斜視図である。
メインケース１の後壁内面には、図６に示すように、ベースフレーム２４の後縁部に形成された係止片２４ｊの下面２４ｃ（図５）に当接する当接体１ｊが設けられている。この当接体１ｊは、図７に示すように、内側に突出寸法Ｔだけ突出した板形状であり、横幅寸法Ｗがメインケース１の横幅の１／３程度の長さに設定される。この横幅Ｗは、メインケース１の横幅の少なくとも１／３以上の寸法に設定されることが望ましい。この長さが長くなればなるほど、当接体１ｊの突出寸法Ｔを短く設定した場合の、係止片２４ｊの下面と当接体１ｊとの引っかかり力を大きく設定できるからであり、当接体１ｊの突出寸法Ｔを短く設定すればするほど、引っかかりが少なくなって、後述する組み立て作業性を向上させることができる。
【００２９】
当接体１ｊの上面には、当接面１ｃが設けられ、その略中央部には、突起部１ｇが設けられている。この突起部１ｇの左右側面には、突起側面１ｋが形成され、その前方には、ガイド面１ｂが形成されている。
当接面１ｃの横幅Ｗは、係止片２４ｊの横幅Ｗ１（図５）と略同じ幅であり、この当接面１ｃは、係止片２４ｊの下面２４ｃと当接し、この場合、上記突起部１ｇが係止片２４ｊの略中央部の凹部２４ｇに嵌合する。
当接体１ｊの左右両端には、仕切片１ｄが設けられている。左右の仕切片１ｄには、内側に仕切片内側面１ｍが、外側に当接体端部１ｎがそれぞれ設けられている。突起部１ｇ及び仕切片１ｄは、メインケース１の後壁内面と当接面１ｃとに当接するため、当接面１ｃに荷重がかかったときの曲げ剛性が向上する。
【００３０】
ベースフレーム２４にメインケース１を固定した場合、図６に示すように、係止片２４ｊは、当接体１ｊの上方から当接面１ｃに当接し、メインケース１の上方向の動きを規制する。このとき、突起部１ｇは、凹部２４ｇに係合され、突起部１ｇの突起側面１ｋと凹部２４ｇの突起当接部２４ｋとが左右接し、メインケース１の幅方向の動きを規制する。また、仕切片１ｄは切込１８に係合され、仕切片内側面１ｍ及び係止片端部２４ｍと、当接体端部１ｎ及び後端壁端部２４ｎとがそれぞれ近接し、これによってもメインケース１の幅方向の動きが規制される。
【００３１】
また、メインケース１の両側面内壁には、メインケース１の両側面上端から延在する支持体１ｔが、メインケース１の高さ一杯に形成されている。この支持体１ｔは当接体１ｊの前方に位置し、その下端が、ベースフレーム上面２４ｔに当接し、メインケース１の下方向の動きを規制している。
メインケース１及びベースフレーム２４の、上下方向の相対位置は、当接体１ｊ及び支持体１ｔと、係止片２４ｊ及びベースフレーム上面２４ｔとで決まり、左右方向の相対位置は、突起部１ｇと凹部２４ｇとで決まる。
そして、メインケース１は前縁部が、上述したねじ孔２４ｒを貫通するねじでベースフレーム２４に固定される。
【００３２】
図８は、ベースフレーム２４の係止片２４ｊと、メインケース１の当接体１ｊとを係合させる場合の断面図、図９は、係合後の断面図である。
メインケース１は、サーマルプリンタ１００の前面、背面、左右面、上面を形成しており、また、記録機構部２０の高さは、メインケース１を取付けたときに、メインケース１の上面近傍まで届いている。このため、記録機構部２０にメインケース１を取付ける際には、上方からメインケース１を記録機構部２０に被せるようにして取付ける。
【００３３】
以下に、メインケース１の取付け手順を説明する。
記録機構部２０にメインケース１を取付ける際には、先ず、メインケース１を上方から記録機構部２０に被せる。そして、図８に示すように、メインケース１の後縁部が前縁部よりも下になるように斜めにした状態で、矢印Ａに示すように、当接面１ｃを係止片２４ｊの下面２４ｃに引掛ける。メインケース１の幅方向の位置決めは、突起部１ｇにより行われ、このとき、突起部１ｇにはガイド面１ｂが設けられていることで、突起側面１ｋはスムーズに突起当接部２４ｋに向かってガイドされる。
【００３４】
当接面１ｃが下面２４ｃに引掛けられると、矢印Ｂに示すように、当接体１ｊと係止片２４ｊとの嵌め合い点を中心に、支持体１ｔの下端がベースフレーム上面２４ｔに当接するまで、メインケース１を前方に回転させる。
この場合、支持体１ｔの下端が、ベースフレーム上面２４ｔに当接するときに、メインケース１の位置決めピンがピン孔２４ｐ、２４ｑに差し込まれ、メインケース１がベースフレーム２４に仮組みされる。メインケース１がベースフレーム２４に仮組みされると、上述したように、メインケース１の前縁部は、上述したように、ベースフレーム２４のねじ孔２４ｒを通るねじで固定される。
【００３５】
ベースフレーム２４にメインケース１を取付けた場合、図９に示すように、当接体１ｊは、メインケース１の上方への動きを規制し、支持体１ｔは、メインケース１の下方への動きを規制する。メインケース１の前縁部はねじで固定されており、メインケース１は、当接体１ｊと支持体１ｔとで、ベースフレーム２４を上下から挟み込むようにベースフレーム２４に固定されている。
【００３６】
本構成では、当接体１ｊと係止片２４ｊとによってメインケース１及びベースフレーム２４の相対位置を上下方向に決めて、ベースフレーム２４の前縁部とメインケース１の前部とをねじで固定するため、メインケース１とベースフレーム２４とを簡単に固定することができ、スナップフィット等のような、樹脂製部品のたわみを利用することがないため、分解の際にもメインケース１を破損等させることがない。また、係止片２４ｊと当接体１ｊとが、ベースフレーム上面２４ｔから一段上がって設けられており、ケーブル収納部１９（図９）に係止片２４ｊや当接体１ｊ等が突出することがない。従って、ケーブル収納部１９の天井面を略フラットにできる。
【００３７】
さらに、当接体１ｊの横幅Ｗが、メインケース１の横幅の少なくとも１／３以上の寸法に設定されるため、当接体１ｊの突出寸法Ｔを短く設定しても、係止片２４ｊの下面と当接体１ｊとの引っかかり力を大きく設定できる。従って、当接体１ｊの突出寸法Ｔを短く設定し、引っかかりを少なくすることにより、図８に示す組み付け手順において、組み立て作業性を向上させることができる。
【００３８】
以上、一実施形態に基づいて本発明を説明したが、本発明は、これに限定されるものではない。例えば、上記構成において、突起部１ｇによりメインケース１の幅方向の位置決めを行っているが、これに限らず、仕切片等によりメインケース１の幅方向の位置決めを行ってもよい。
上記実施形態では、記録装置としてサーマルプリンタを例示したが、これに限らず、例えばドットインパクト方式やインクジェット方式のプリンタ、複写機やファクシミリなどの電子写真方式により画像を記録する記録装置であってもよい。
さらに、上記実施形態に限定されず、プロジェクタ、パーソナルコンピュータ、電子式置き時計、フィルムスキャナ等のスキャナ、チューナ等の電子機器であって、ベースフレーム上に電子機器本体を設け、この本体を外装ケースで覆った電子機器における各種の電子機器収納装置にも適用が可能である。
【図面の簡単な説明】
【００３９】
【図１】本発明の一実施形態に係る記録装置の外観を示す正面斜視図である。
【図２】記録機構部の斜視図である。
【図３】本体フレームの背面斜視図である。
【図４】記録装置の断面図である。
【図５】本体フレームの前面斜視図である。
【図６】記録装置の後縁部内側の斜視図である。
【図７】当接体の斜視図である。
【図８】ベースフレームにメインケースを取付ける過程の後縁部の断面図である。
【図９】ベースフレームにメインケースを取付けた状態の後縁部の断面図である。
【符号の説明】
【００４０】
１…メインケース（外装ケース）、１ｂ…ガイド面、１ｇ…突起部、１ｊ…当接体、１ｔ…支持体、２０…記録機構部、２４…ベースフレーム、２４ｃ…係止面、２４ｇ…凹部、２４ｊ…係止片、２４ｔ…ベースフレーム上面（記録機構部載置面）、１００…サーマルプリンタ（記録装置）
【図１】
2007022034.tif 000003
【図２】
2007022034.tif 000004
【図３】
2007022034.tif 000005
【図４】
2007022034.tif 000006
【図５】
2007022034.tif 000007
【図６】
2007022034.tif 000008
【図７】
2007022034.tif 000009
【図８】
2007022034.tif 000010
【図９】
2007022034.tif 000011